(57)【特許請求の範囲】
【請求項１】
一端部に口部が設けられ薬液を収容する容器本体と、前記口部に取り付けられ注出筒部を有する中栓と、前記中栓の内側に液密に取り付けられ一部が前記注出筒部から突没可能に摺動するチップと、前記チップを前記注出筒部から突出する方向に付勢するコイルバネと、前記容器本体の前記口部に前記中栓を覆って着脱可能に取り付けられたキャップとが設けられ、前記チップには、前記注出筒部から突出する先端と、その他の外周面の所定位置とを連通する注出孔が設けられ、前記注出筒部の内周面には前記チップの外周面と液密に接する摺動面を有し、
前記チップには、側方で一周した遮断弁が設けられ、前記チップは円筒部を有し、
前記中栓には、前記口部を塞ぐ仕切壁部と、前記仕切壁部の中心に設けられ前記口部の内外を連通する流通口が設けられ、前記仕切壁部の前記流通口の内周面には、弁座部が上方に開放して設けられ、
前記チップの先端部を前記コイルバネに抗して前記注出筒部に押し込むと、前記遮断弁と前記弁座部により前記中栓が閉鎖され、前記押し込み力を解除すると前記コイルバネにより前記チップが前記注出筒部から突出し前記円筒部の当接面が前記注出筒部に当接して前記薬液の流出が止まり、
前記遮断弁が前記弁座部に接する位置と、前記当接面が前記注出筒部に接する位置の間で、前記コイルバネの付勢力に抗して前記チップを押し込み、注出された前記薬液を前記チップの先端により被塗布面に塗布することを特徴とする液体注出塗布容器。
【請求項２】
前記チップは、注出筒部よりも柔軟な素材で作られている請求項１の液体注出塗布容器。
【請求項３】
前記チップの、前記注出筒部から突出している先端には、前記チップの外周面から側方に一周して膨出する球状体が一体に形成されている請求項１又は２記載の液体注出塗布容器。
【請求項４】
前記キャップを前記口部に取り付けて閉めると、前記チップが前記コイルバネに抗して前記注出筒部に押し込まれ、前記チップの側面を貫通した貫通孔を介して前記注出孔が前記容器本体内と連通する請求項１の液体注出塗布容器。
【請求項５】
一端部に口部が設けられ薬液を収容する容器本体と、前記口部に取り付けられ注出筒部を有する中栓と、前記中栓の内側に液密に取り付けられ一部が前記注出筒部から突没可能に摺動するチップと、前記チップを前記注出筒部から突出する方向に付勢するコイルバネが設けられ、前記チップには、前記注出筒部から突出する先端と、その他の外周面の所定位置とを連通する注出孔が設けられ、前記注出筒部の内周面には前記チップの外周面と液密に接する摺動面を有し、
前記チップには、側方で一周した遮断弁が設けられ、前記チップは円筒部を有し、
前記中栓には、前記口部を塞ぐ仕切壁部と、前記仕切壁部の中心に設けられ前記口部の内外を連通する流通口が設けられ、前記仕切壁部の前記流通口の内周面には、弁座部が上方に開放して設けられ、
前記チップの先端部を前記コイルバネに抗して前記注出筒部に押し込むと、前記遮断弁と前記弁座部により前記中栓が閉鎖され、押し込みを止めると前記コイルバネにより前記チップが前記注出筒部から突出し前記円筒部の当接面が前記注出筒部に当接して前記薬液の流出を止め、
前記遮断弁が前記中栓に接する位置と、前記当接面が前記注出筒部に接する位置の間で、前記コイルバネの付勢力に抗して前記チップを押し込むと前記薬液が注出され、注出された前記薬液を前記チップの先端で被塗布面に塗布するものであり、
前記容器本体を倒立させ、前記チップの先端で被塗布面を軽くたたくようにして前記薬液を注出し、前記チップは前記コイルバネで外側に向かって付勢され、叩くようにすると前記コイルバネが弾性変形して前記チップが短時間押し込まれるがすぐに復元して閉鎖状態に戻り、前記薬液の吐出量を調節し、
前記チップの遮断弁が、前記中栓の前記弁座部に密閉するまで前記チップを押し込むと、前記遮断弁と前記弁座部により前記中栓が閉鎖され前記薬液の流出が止まることを特徴とする液体注出塗布容器の使用方法。
【発明の詳細な説明】
【技術分野】
【０００１】
この発明は、薬用育毛剤等の薬液や化粧液等を収容し、対象物に注出して塗布する液体注出塗布容器とその使用方法に関する。
【背景技術】
【０００２】
従来、液体の医薬品や化粧品、食品その他の流動性材料を収容し、この流動性材料を注出して対象物に塗布する液体注出塗布容器として、例えば特許文献１に開示されているエア抜き機構付き容器がある。このエア抜き機構付き容器は、一端部に取出口が形成された容器本体と、取出口に設けられた中栓と、中栓に取り付けられた注出弁と、中栓と注出弁に着脱自在に取り付けられるキャップが設けられている。注出弁は、中栓から一部が突没可能に摺動し、突出している時に中栓を閉鎖する弁部が設けられている。また、注出弁にはエア抜き用の溝部が形成されている。そして、注出弁を注出口から突出する方向に、つまり弁部が中栓を閉鎖する方向に、注出弁を付勢する金属製のコイルばねが設けられている。このエア抜き機構付き容器は、注出弁が注出口から突出している時は液密であり、倒立させて被塗布面に注出弁を押し当ててコイルばねの付勢力に抗して中栓の内側に押し込むと、弁部が中栓から離れて収容している薬剤が注出される。使用後にキャップを取り付けると、注出弁はキャップに押されて中栓の内側に押し込まれ、キャップが中栓に密着して液密となり、保管や運搬が可能となる。そして、再び使用する際には、キャップを外す時、外す途中で溝部によって通気が確保されて自動的にエア抜きが行われ、保管中に容器本体の内圧が高くなった場合でも大気圧に戻すことができ、薬液が注出される際に勢いよく吐出することを防ぐ。
【０００３】
また、特許文献２に開示されている注出中栓容器も同様の構造であり、容器本体と中栓が設けられ、中栓には、弁頭部が突没可能に設けられている。弁頭部は合成樹脂製であり、突出している時に中栓を閉鎖するリング弁が設けられ、さらに弁頭部とリング弁を付勢するスプリング条が一体に設けられている。この注出中栓容器の使用方法は特許文献１と同様であり、使用前にキャップを外す途中で、弁頭部と中栓の間に生じる隙間から自動的にエア抜きをすることができる。
【先行技術文献】
【特許文献】
【０００４】
【特許文献１】特開２０１０−１００３０３号公報
【特許文献２】特開平９−６６９５９号公報
【発明の概要】
【発明が解決しようとする課題】
【０００５】
上記背景技術の場合、注出弁や弁頭部を被塗布物に押し付けて注出する時、注出弁は突出方向に付勢されているため、押し込むために相応の押力が必要である。被塗布物が皮膚の場合は、注出弁や弁頭部の先端を皮膚に直接押し当てて注出状態に切り替えると、先端部が小径であるため小さな押力であっても触覚的に大きな負荷を感じるという問題がある。また、薬液は注出弁や弁頭部の周囲から注出されて中栓に伝わって外側に広がるため、必要な位置を正確に狙って塗布することが難しく、薬液を無駄にすることがある。
【０００６】
この発明は、上記背景技術の問題点に鑑みてなされたものであり、簡単な構造で、内容物の薬液を注出する前にエア抜きをして適量の薬液を安全に目的の場所へ注出することができ、薬液を注出する操作時は被塗布面への物理的刺激が少なく、使用感が良好な液体注出塗布容器とその使用方法を提供することを目的とする。
【課題を解決するための手段】
【０００７】
本発明は、一端部に口部が設けられ薬液を収容する容器本体と、上記口部に取り付けられ注出筒部を有する中栓と、前記中栓の内側に液密に取り付けられ一部が前記注出筒部から突没可能に摺動するチップと、前記チップを前記注出筒部から突出する方向に付勢する弾性体と、前記容器本体の前記口部に前記中栓を覆って着脱可能に取り付けられたキャップとが設けられ、前記チップには、前記注出筒部から突出する先端と、その他の外周面の所定位置とを連通する注出孔が設けられ、前記注出筒部の内周面には前記チップの外周面と液密に接する摺動面を有する液体注出塗布容器である。そして、この液体注出塗布容器は、前記チップが前記弾性体に付勢されて前記注出筒部から突出している時には、前記チップの外周面に位置する前記注出孔の開口部が前記注出筒部に閉じられて閉鎖状態となり、前記チップを前記弾性体の付勢力に抗して所定の長さに押し込まれた時には、前記開口部は前記容器本体内に開かれるが前記遮断弁が前記中栓に閉じられて異なる閉鎖状態となり、前記キャップの開閉の途中では、前記開口部が前記容器本体内に開かれるとともに前記遮断弁は前記中栓から離れて開かれ、開放状態となり、前記容器本体内のエア抜きが可能となる。
【０００８】
前記チップは、注出筒部よりも柔軟な素材である例えばエラストマー等で設けられている。前記チップの、前記注出筒部から突出している先端には、前記チップの外周面から側方に一周して膨出する球状体が一体に形成されている。
【０００９】
また、前記キャップを前記口部に取り付けて閉めると、前記チップが前記弾性体に抗して前記注出筒部に押し込まれ、前記チップの側面を貫通した貫通孔を介して前記注出孔が前記容器本体内と連通するものである。
【００１０】
前記チップには、側方で一周した遮断弁が設けられている。前記中栓には、前記口部を塞ぐ仕切壁部と、前記仕切壁部の中心に設けられ前記口部の内外を連通する流通口が設けられ、前記仕切壁部の前記流通口の内周面には弁座部が上方に開放して設けられている。前記チップの先端部を前記弾性体に抗して前記注出筒部に押し込むと、前記遮断弁と前記弁座部により前記中栓が閉鎖され、押し込みを止めると前記弾性体により前記チップが前記注出筒部から突出し前記円筒部の当接面が前記注出筒部に当接して前記薬液の流出が止まる。前記遮断弁が前記弁座部に接する位置と、前記当接面が前記注出筒部に接する位置の間で、前記コイルバネの付勢力に抗して前記チップを押し込むと前記薬液が注出され、注出された前記薬液を前記チップでこすり被塗布面に所望の面積に伸ばして塗布する。前記容器本体を倒立させ、前記チップの先端の球状体で被塗布面を軽くたたくようにして前記薬液を注出し、前記チップは前記弾性体で外側に向かって付勢されているため、叩くようにすると前記弾性体が弾性変形して前記チップが短時間押し込まれるがすぐに復元して閉鎖状態に戻るため、前記薬液が多く出過ぎることを防ぎ、前記チップの遮断弁が、前記中栓の前記弁座部に密閉するまで前記チップを押し込むと、前記遮断弁と前記弁座部により前記中栓が閉鎖され前記薬液の流出が止まり、勢いよくチップを押し過ぎた時の過剰な注出を防ぐものである。前記弾性体は、例えばコイルバネである。
【発明の効果】
【００１１】
本発明の液体注出塗布容器は、簡単な構造で、内容物の薬液を注出する前にキャップを開ける操作の途中で容器本体内のエア抜きをして、適量の薬液を安全に目的の場所へ注出することができる。さらに、薬液は、チップの先端の中心から注出されるため、塗布する位置を正確に狙うことができ、薬液を無駄にすることがなく、必要な位置に所定の量を効果的に注出することができる。また、この発明の液体注出塗布容器の使用方法によれば、薬液が注出されるチップの材質はエラストマー等の柔軟な材料であり、また被塗布面に当たる先端は大きい球状体が設けられ、被塗布面である皮膚にチップを当てて押し込んで薬液を注出する際は、物理的刺激が少なく負荷を感じることがなく、使用感が良好である。
【図面の簡単な説明】
【００１２】
【図１】この発明の一実施形態の液体注出塗布容器の縦断面図である。
【図２】この実施形態の液体注出塗布容器の、キャップを開閉する途中の状態を示す縦断面図である。
【図３】この実施形態の液体注出塗布容器のキャップを開けた状態を示す縦断面図である。
【図４】この実施形態の液体注出塗布容器の薬液を注出する前の状態を示す縦断面図である。
【図５】この実施形態の液体注出塗布容器の薬液を注出する状態を示す縦断面図である。
【図６】この実施形態の液体注出塗布容器の斜視図である。
【発明を実施するための形態】
【００１３】
以下、この発明の実施形態について図面に基づいて説明する。図１〜図６はこの発明の一実施形態を示すもので、この実施形態の液体注出塗布容器１０は、図６に示すように有底筒状の容器本体１２を有し、容器本体１２はガラスや合成樹脂で作られている。容器本体１２の正立状態の上端部には、径が小さい円筒状の口部１４が一体に形成され、口部１４の外周面には雄ねじ１６が形成されている。
【００１４】
口部１４には、ＰＰ等の硬い合成樹脂で作られた中栓１８が嵌合されて取り付けられている。中栓１８は、口部１４に取り付けられる中栓本体３７と、中栓本体３７の上方に取り付けられる注出部材３８が組み合わされて設けられている。
【００１５】
中栓本体３７には、口部１４の内側に嵌合される円筒状の取付部２０が設けられ、取付部２０の、上端部より少し下方の外周面には、口部１４の上端面に当接するフランジ部２２が外周面を一周して側方に突出して形成されている。取付部２０の、フランジ部２２と反対側の内周面には、取付部２０の開口を閉鎖する仕切壁部２４が内周面を一周して形成されている。仕切壁部２４の中央には円形の流通口２５が形成され、流通口２５には、取付部２０の挿通方向に平行な中心軸を有する円筒部２６が一体に設けられている。円筒部２６は、上端部が仕切壁部２４に連続し、下端部が取付部２０の下端部付近に達し、円筒部２６の下端部には、円筒部２６の開口を閉鎖する底部２８が設けられている。円筒部２６には、４つの透孔３０が円周方向に９０°の間隔で形成され、円筒部２６の内側と、容器本体１２の内部空間を連通している。底部２８の中心には、円柱状の軸部３２が一体に設けられ、軸部３２は、円筒部２６の挿通方向に対して平行で、軸部３２の上端部は、軸方向に対して直角に位置する平面であり、仕切壁部２４よりわずかに長く上方に突出する所定位置に達している。
【００１６】
仕切壁部２４には、流通口２５の内周面に、断面Ｌ字状に切り欠かれた溝部が一周して形成された弁座部３４が、上方に開放して設けられている。仕切壁部２４は、弁座部３４に向かってすり鉢状に低くなっている。フランジ部２２の外周面には、後述する注出部材３８が係止される段部２２ａが設けられている。
【００１７】
口部１４の上端部には、外周面に突出して一周する係合突部３６が設けられ、係合突部３６には、注出部材３８が取り付けられている。注出部材３８は、ＰＰ等の硬い合成樹脂で作られ、容器本体１２の口部１４の先端に、口部１４の挿通方向の延長線上に取り付けられる円筒体である。注出部材３８の下端部は、口部１４の先端を、中栓１８のフランジ部２２とともに覆う取付筒部４０であり、取付筒部４０の内周面には、口部１４の係合突部３６が差し込まれる係合凹部４２が一周して設けられている。
【００１８】
取付筒部４０の内周面の、係合凹部４２より少し上には、中栓本体３７のフランジ部２２の段部２２ａが嵌合されて係止される段部４０ａが一周して設けられ、取付筒部４０の上端部には、円錐部４４が連続して設けられている。円錐部４４の下端部は、中栓本体３７の上部分に密着する内径を有し、外径は取付筒部４０よりも径が小さく、取付筒部４０の上端面が円周に沿って上方に面し、後述するキャップ７６の大形押さえリング９０に当接する当接面４５となっている。円錐部４４は、取付筒部４０から上方に離れるにつれて径が小さくなっており、円錐部４４の上端部には、径が小さい円筒状の注出筒部４６が連続して設けられている。
【００１９】
注出筒部４６の先端部分の外周に、後述するキャップ７６の小形押さえリング８６が嵌合する段部４７が一周して設けられている。注出筒部４６の内周面には、内周面から中心に向って突出する閉鎖突起４８が一周して形成され、閉鎖突起４８の中心の空間は後述するチップ５２が挿通される挿通口５０となる。挿通口５０の内周面は、後述するチップ５２の外周面を液密に接する摺動面５０ａとなる。
【００２０】
中栓１８の内側には、中栓本体３７の仕切壁部２４と注出部材３８の閉鎖突起４８でかこまれた内側空間７２が形成され、内側空間７２には、中栓１８や注出部材３８よりも柔らかい材料であるエラストマー等の柔軟な材料で作られたチップ５２が設けられている。チップ５２には、中栓本体３７の軸部３２が摺動可能に嵌合する円筒部５４が、下面５２ａに開口されて設けられている。下面５２ａの、円筒部５４の外周面には、側方へ一周して突出し中栓本体３７の弁座部３４に密着する遮断弁６４が設けられている。円筒部５４の上端部の突き止まり付近の少し上の部分には、チップ５２の先端側の側面であるノズル部６８を直径方向に連通する貫通孔６６が設けられ、貫通孔６６は、円筒部５４の外周面に、直径方向に位置する２個の開口部６６ａを形成して外側に連通されている。遮断弁６４と開口部６６ａの間隔は、中栓本体３７の弁座部３４と、注出部材３８の閉鎖突起４８との距離より短く設定され、チップ５２は、遮断弁６４が中栓本体３７の弁座部３４を閉鎖する状態と、開口部６６ａが注出部材３８の閉鎖突起４８に対面して閉鎖する状態との間を摺動する。
【００２１】
チップ５２の、円筒部５４と反対側の部分は、注出部材３８の挿通口５０の内径とほぼ等しい外径を有する円筒状のノズル部６８が設けられ、ノズル部６８は、円筒部５４の挿通方向に対して平行に円筒部５４の反対側に突出して形成されている。ノズル部６８の内周面は注出孔７０となり、貫通孔６６に対して直角に連通している。ノズル部６８の外周面は円筒部５４の外周面よりも径が小さく、円筒部５４の上端面が円周に沿って上方に面して後述する閉鎖突起４８に当接する当接面５６となっている。ノズル部６８の先端６８ａは、ノズル部６８の外周面から側方に一周して膨出する球状体６９が一体に形成されている。球状体６９は、ノズル部６８の挿通方向に対して直角な方向の、一番突出している直径の長さは、注出筒部４６の内側には僅かな隙間を有して摺動可能に入れられ、閉鎖突起４８の挿通口５０よりは大きい長さである。貫通孔６６の開口部６６ａは、チップ５２が所定の長さに押し込まれ遮断弁６４が中栓本体３７の弁座部３４を閉鎖する時は注出部材３８の閉鎖突起４８の下方に位置し、注出部材３８の内側空間７２と、チップ５２の注出孔７０は、連通される。チップ５２が突出して遮断弁６４が中栓本体３７の弁座部３４から最も遠く離れる時は、開口部６６ａは閉鎖突起４８の挿通口５０内に位置し、挿通口５０の内周面である摺動面５０ａに対面して液密に閉鎖され、注出部材３８の内側空間７２と、チップ５２の注出孔７０は、遮断される。この時、円筒部５４の当接面５６は、閉鎖突起４８の内側空間７２側の面に当接し、円筒部５４の外周面の上端部分は、注出筒部４６の内周面に嵌合される。
【００２２】
中栓本体３７の軸部３２には、一定の太さの円筒状に巻き回された弾性体であるコイルバネ７４が設けられている。中栓本体３７の軸部３２は、チップ５２の円筒部５４に摺動可能に挿通され、コイルバネ７４の上端部は、チップ５２の下面５２ａに当接し、下端部は、中栓本体３７の底部２８に当接している。コイルバネ７４は適度に圧縮されて取り付けられ、チップ５２を注出部材３８の注出筒部４６から突出する方向へ付勢している。
【００２３】
また、容器本体１２の口部１４には、着脱自在なキャップ７６が設けられている。キャップ７６は、円板状の上面７８と、上面７８の周縁部に連続する円筒状の側面８０が設けられている。側面８０の内周面には、容器本体１２の口部１４の雄ねじ１６に螺合される雌ねじ８２が形成されている。上面７８の裏面の中心には、ノズル部６８の先端６８ａに、注出孔７０を囲んで当接する短い円筒形状の突出部８４が設けられている。突出部８４の、ノズル部６８に当接する面には、注出孔７０の通気を確保するための溝部８８が形成され、溝部８８は突出部８４の中心から十字形に形成されている。上面７８の裏面の、突出部８４の外側には、キャップ７６が閉じられた時に注出部材３８の、注出筒部４６の段部４７に嵌合する円筒状の小形押さえリング８６が設けられている。上面７８の、小形押さえリング８６と側面８０の間には、大形押さえリング９０が設けられている。大形押さえリング９０は、側面８０よりも少し小さい直径を有する円筒状であり、側面８０の内周面から所定間隔離れて設けられている。大形押さえリング９０の下端部は、キャップ７６を容器本体１２に閉めた時に注出部材３８の、取付筒部４０の円周に設けられた段部４５に当接し、注出部材３８を押さえ、また中栓本体３７を注出部材３８と容器本体１２の間に挟んで保持する。
【００２４】
次に、この実施形態の液体注出塗布容器１０の組立方法について説明する。まず、中栓本体３７の軸部３２に、コイルバネ７４を取り付け、さらにチップ５２を、軸部３２の上方から円筒部５４に挿入させてセットする。次に、注出部材３８をチップ５２の上からかぶせ、注出筒部４６にチップ５２のノズル部６８を挿通させ、取付筒部４０に中栓本体３７の取付部２０を嵌合させ、一定以上の力で押し込む。中栓本体３７のフランジ部２２が円錐部４４の下端部の内周面に当接し、このときフランジ部２２の段部２２ａが取付筒部４０の段部４０ａに係止され、中栓１８が作られる。チップ５２が内側空間７２に入れられたこの状態の中栓１８を、容器本体１２の口部１４に取り付ける。
【００２５】
次に、皮膚への塗布薬等の薬液９２を入れた容器本体１２の口部１４に、チップ５２と中栓本体３７と注出部材３８を、互いに組み付けた上記の状態で取り付ける。まず、中栓本体３７の取付部２０を、底部２８側の端部から口部１４の中に入れる。取付部２０は口部１４の内周面に液密に嵌合され、フランジ部２２は口部１４の上端面に当接してそれ以上差し込むことを防ぐ。このとき注出部材３８の係合凹部４２に口部１４の係合突部３６が嵌合され係止されて、抜け落ちることがない。
【００２６】
さらに、容器本体１２の口部１４に、キャップ７６を取り付ける。キャップ７６を注出部材３８の注出筒部４６の上からかぶせ、軸周りに回して雌ねじ８２を口部１４の雄ねじ１６に螺合させて取り付ける。注出部材３８の段部４５は、キャップ７６の大形押さえリング９０に押圧され、中栓本体３７を容器本体１２の口部１４との間に挟んだ状態で閉じられ、図１に示すように密封状態となる。この時、注出筒部４６の段部４７にはキャップ７６の小形押さえリング８６が当接する。またチップ５２のノズル部６８先端６８ａにはキャップ７６の突出部８４が当接し、確実に所定の長さに押し込み、チップ５２の遮断弁６４が中栓本体３７の弁座部３４に押し付けられて閉じられ、容器本体１２の内部が液密に閉鎖状態となる。この状態では容器本体１２を傾けても容器本体１２に収容している薬液９２が出ることがなく、計量注出塗布容器１０を安全に運搬したり保管したりすることができる。
【００２７】
次に、計量注出塗布容器１０の使用方法について説明する。容器本体１２から薬液９８を取り出して使用するときは、まずキャップ７６を軸周りに回して、雌ねじ８２と口部１４の雄ねじ１６の螺合を解除して取り外す。キャップ７６を取り外す途中の工程では、図２に示すように、キャップ７６と容器本体１２の螺合が徐々に解除されてキャップ７６が少し上昇すると、チップ５２もコイルバネ７４に付勢されて上昇し、チップ５２の遮断弁６４は、中栓本体３７の弁座部３４から少し離れて開かれる。この時、チップ５２の貫通孔６６の開口部６６ａは、閉鎖突起４８よりも内側空間７２側に位置して開かれているため、容器本体１２の内の空間は、チップ５２の貫通孔６６と注出孔７０に連通して外側に開放状態となり、容器本体１２の内外の通気性が確保される。ノズル部６８の先端６８ａにはキャップ７６の突出部８４が当接しているが、突出部８４には通気用の溝部８８が形成されているため通気が遮断されることがない。これにより、保管時の温度差による容器本体１２内の圧力上昇があっても、キャップ７６を開ける時にエア抜きをして容器本体１２内が大気圧と等しくなる。
【００２８】
さらにキャップ７６を軸周りに回して螺合を解除し、キャップ７６を外すとチップ５２を押さえていた力が解除され、チップ５２はコイルバネ７４に押されて上昇する。チップ５２は、円筒部５４が中栓本体３７の軸部３２に摺動可能に嵌合されているため、軸部３２の軸方向に沿って摺動し、図３に示すようにチップ５２の当接面５６が注出部材３８の閉鎖突起４８に到達し、チップ５２はそれ以上移動することがなく、止まる。そしてチップ５２の遮断弁６４は、中栓本体３７の弁座部３４から大きく開かれ、容器本体１２の内部空間が注出部材３８に連通し、容器本体１２に収容された薬液９２が注出可能となる。この時、チップ５２のノズル部６８は注出部材３８の注出筒部４６から外側に突出し、球状体６９が露出する。しかし、貫通孔６６の開口部６６ａは、注出部材３８の閉鎖突起４８に一致し、閉鎖突起４８の挿通口５０摺動面５０ａに閉じられているため、薬液９２は注出されない閉鎖状態である。
【００２９】
そして、この閉鎖状態で容器本体１２を倒立させると、図４に示すように、容器本体１２内の薬液９２が中栓本体３７の透孔３０を通過して注出部材３８の内側空間７２に流入して充満する。チップ５２の貫通孔６６開口部６６ａは注出部材３８の摺動面５０ａに塞がれているため、内側空間７２内の薬液９２がノズル部６８から外に漏れることはない。
【００３０】
その閉鎖状態のまま皮膚表面等の被塗布面に近づけ、チップ５２のノズル部６８先端６８ａで被塗布面に押し付ける。すると、図５に示すように、チップ５２が注出部材３８内に押し込まれ貫通孔６６開口部６６ａが閉鎖突起４８から離れて内側空間７２に位置し、開放状態となり、内側空間７２内に充満していた薬液９２は、貫通孔６６を通って注出孔７０に流れ、先端部６８ａから外に出る。ここで、チップ５２のノズル部６８の先端６８ａで被塗布面を軽くたたくようにし、叩いたときの勢いで注出孔７０から薬液９２を注出する。チップ５２は、コイルバネ７４で外側に向かって付勢されているため、叩くようにするとコイルバネ７４が弾性変形してチップ５２が短時間押し込まれるがすぐに復元して図４に示すように閉鎖状態に戻るため、薬液９２が多く出すぎることがない。そして、被塗布面に注出された薬液９２をノズル部６８の球状体６９でこすり、所望の面積に伸ばして塗布する。
【００３１】
使用後は、再び容器本体１２を正立させ、キャップ７６を取り付け、キャップ７６の小形押さえリング８６でチップ５２を所定の長さに押し込み、遮断弁６４が弁座部３４を塞いだ閉鎖状態となり、液密で安全に保管される。
【００３２】
この実施形態の液体注出塗布容器１０によれば、簡単な構造で、内容物の薬液９２を注出する前に容器本体１２内のエア抜きをして、適量の薬液９２を安全に目的の場所へ注出することができる。特に、薬液９２は、ノズル部６８の先端６８ａの中心に開口する注出孔７０から注出されるため、ノズル部６８の先端６８ａを被塗布面に当てれば狙った部位だけにピンポイントで確実に塗布することができ、薬液９２を無駄にすることがなく、必要な位置に所定の量を効果的に注出することができる。また、中栓１８とチップ５２による液止め機構を有しながら、キャップ７６を開けるだけで容易にエア抜きができる構造となり、使用者が、エア抜きを忘れることがなく、薬液９２を注出する前に確実にエア抜きをすることができる。十分にエア抜きされるため、容器本体１２から薬液９２を取り出す時に圧力が高くなった容器本体１２内の空気とともに薬液９２が吐出する事態を防ぐことができる。従って、薬液９２が揮発性の高いものでも、容器本体１２内の蒸気圧を下げることができ、安全に使用することができる。
【００３３】
さらに、チップ５２の材質をエラストマー等の柔軟な材料にすることにより、中栓１８との密着性を高めることができる。また、密着性が高いためコイルバネ７４の押力を低く設定することが可能で、注出筒部４６から突出するノズル部６８を軽く押すだけで薬液９２を注出することができる。皮膚に当たる部分が柔らかいので、被塗布面への刺激を軽減することができる。ノズル部６８の、被塗布面に当たる先端６８ａは、柔軟で大きい球状体６９が設けられ容易に変形するものであり、チップ５２を被塗布面に当てて押し込み、薬液９２を注出する際に被塗布面への刺激が少なく、負担を感じることがなく、使用感が良好である。球状体６９の外周面の大きさを適宜調整することで、被塗布面への接触圧を変えることができ、また接触する面積を変えて摺動抵抗を調整し、使用感を適宜変更することができる。また、ノズル部６８に球状体６９を形成することで、使用者が視認しやすくなり、ノズル部６８を確認することにより、被塗布面に当てて薬液９２を注出して塗布する操作を、容易に理解することができる。
【００３４】
さらに、遮断弁６４が設けられ、中栓１８の弁座部３４に密閉することができ、チップ５２を所定の長さに押し込むと容器本体１２と中栓１８との流通口２５が遮断され、容器本体１２内の液量に影響されず安定した注出量を保つことができ、勢いよくチップ５２を押し込んだ時の過剰な注出を防止することもできる。さらに、キャップ７６を閉めた時、容器本体１２内を広い面積で確実に密閉することが可能である。
【００３５】
また、チップ５２を付勢する手段に、金属製のコイルバネ７４を使用しているため、耐久性があり、長期間繰り返し使用してもチップ５２の突没動作を確実に行うことができる。また、キャップ７６を閉めてチップ５２を押し下げたままの状態で保管してもコイルバネ７４はクリープが発生し難く、キャップ７６を取り外せばチップ５２を確実に押し上げて中栓１８に密着し、倒立させたときに不用意に液漏れすることを防ぐことができる。
【００３６】
なお、この発明の液体注出塗布容器は上記実施の形態に限定されるものではなく、材料や形状等自由に変更可能である。また、中栓の軸部と、軸部に摺動可能に嵌合するチップの円筒部の形状も、上記実施形態に限定されず、がたつき無く確実にチップが一定方向に移動するものであればよい。また、用途は、薬品や化粧品、その他液体を収容して適量取り出すものであれば良く、上記実施形態には限定されない。中栓の透孔や、チップの貫通孔の数や形状も、上記以外でもよい。液体注出塗布容器を組み立てる順番も、適宜変更可能である。
【符号の説明】
【００３７】
１０  液体注出塗布容器
１２  容器本体
１４  口部
１８  中栓
２２  フランジ部
２４  仕切壁部
２５  流通口
３４  弁座部
３７  中栓本体
３８  注出部材
４６  注出筒部
４８  閉鎖突起
５０  挿通口
５０ａ  摺動面
５２  チップ
６４  遮断弁
６６  貫通孔
６６ａ  開口部
６８  ノズル部
６８ａ  先端
６９  球状体
７０  注出孔
７４  コイルバネ
７６  キャップ
８４  突出部
【図１】
0006653555.tif 000002
【図２】
0006653555.tif 000003
【図３】
0006653555.tif 000004
【図４】
0006653555.tif 000005
【図５】
0006653555.tif 000006
【図６】
0006653555.tif 000007